(57)【要約】【課題】イオン発生素子から発生されたイオンをより多く、より効率的に外側に放出できるイオン発生機を提供する。【解決手段】離隔した２つの電極７１を有するイオン発生素子７と、前記２つの電極７１に向けて、前記離隔方向に交差する方向に風を送る送風素子１２とを備えるイオン発生機において、イオン発生素子７に向けて突出されており、かつ前記交差方向に沿って設けられているフィン１５２を備え、イオン発生素子７の電極７１付近を通る風の風路を狭くすることにより、電極７１付近での風量及び風速を増加させる。【選択図】図６
2017076553.tif 000002
【特許請求の範囲】
【請求項１】
離隔した２つの電極を有するイオン発生素子と、前記２つの電極に向けて、前記離隔方向に交差する方向に風を送る送風素子とを備えるイオン発生機において、
前記イオン発生素子に向けて突出されており、前記交差方向に沿って設けられたフィンを備えることを特徴とするイオン発生機。
【請求項２】
対向する２つの前記フィンが設けられており、該２つのフィンの先端間の距離は、前記２つの電極が離隔する距離より長いことを特徴とする請求項１に記載のイオン発生機。
【請求項３】
何れか一方のフィンの対向面の反対側に設けられたイオン検出部を備えることを特徴とする請求項２に記載のイオン発生機。
【請求項４】
前記一方のフィンは前記送風素子側端部に切り欠きを有することを特徴とする請求項３に記載のイオン発生機。
【請求項５】
前記送風素子は風を吹き出す吹出口を有し、
前記２つの電極の離隔の方向における前記吹出口の寸法は、該２つの電極間の間隔より小さいことを特徴とする請求項１から４の何れか一つに記載のイオン発生機。
【発明の詳細な説明】
【技術分野】
【０００１】
本発明は、離隔した２つの電極を有するイオン発生素子と、前記２つの電極に向けて、前記離隔の方向と交差する方向に風を送る送風素子とを備えるイオン発生機に関する。
【背景技術】
【０００２】
近年、電極に電圧を印加することによって生ずる放電現象を利用して正イオン及び負イオンを生成させるイオン発生機が広く普及されている。
【０００３】
例えば、特許文献１には、イオン発生機の用途を広げるために照明機能を付加し、部屋の天井に設置できるように構成したイオン発生機が開示されている。特許文献１のイオン発生機においては、電球型のケースにイオン発生素子と照明装置とが収納されている。
【先行技術文献】
【特許文献】
【０００４】
【特許文献１】特開２００２−１５９８８０号公報
【発明の概要】
【発明が解決しようとする課題】
【０００５】
一方、イオン発生機の小型化・軽量化を図る場合においては、イオン発生素子から発生したイオンを外側に運ぶための送風素子の大きさを小さくする必要がある。しかし、送付素子の大きさが小さくなる場合、斯かるファンの大きさも小さくなるので、イオンを運ぶ風の風量及び風速が小さくなり、放出されるイオンの量が減少するという問題があった。
【０００６】
しかしながら、このような問題について、特許文献１に係るイオン発生機においては考慮されておらず、解決することが出来ない。
【０００７】
本発明は、斯かる事情に鑑みてなされたものであり、その目的とするところは、離隔した２つの電極を有するイオン発生素子と、前記２つの電極に向けて、前記離隔の方向と交差する方向に風を送る送風素子とを備えるイオン発生機において、イオン発生素子から発生されたイオンをより多く、より効率的に外側に放出できるイオン発生機を提供することにある。
【課題を解決するための手段】
【０００８】
本発明に係るイオン発生機は、  離隔した２つの電極を有するイオン発生素子と、前記２つの電極に向けて、前記離隔方向に交差する方向に風を送る送風素子とを備えるイオン発生機において、前記イオン発生素子に向けて突出されており、前記交差方向に沿って設けられたフィンを備えることを特徴とする。
【０００９】
本発明に係るイオン発生機は、対向する２つの前記フィンが設けられており、該２つのフィンの先端間の距離は、前記２つの電極が離隔する距離より長いことを特徴とする。
【００１０】
本発明に係るイオン発生機は、何れか一方のフィンの対向面の反対側に設けられたイオン検出部を備えることを特徴とする。
【００１１】
本発明に係るイオン発生機は、前記一方のフィンは前記送風素子側端部に切り欠きを有することを特徴とする。
【００１２】
本発明に係るイオン発生機は、前記送風素子は風を吹き出す吹出口を有し、前記２つの電極の離隔の方向における前記吹出口の寸法は、該２つの電極間の間隔より小さいことを特徴とする。
【発明の効果】
【００１３】
本発明によれば、イオン発生素子から発生されたイオンをより多く、より効率的に外側に放出できる。
【図面の簡単な説明】
【００１４】
【図１】本発明の実施の形態１のイオン発生機の外見を示す斜視図である。
【図２】図１のＡ−Ａ線によるアダプタを除く部分断面図である。
【図３】図２のＢ−Ｂ線による断面図である。
【図４】実施の形態１に係るイオン発生機のイオン発生素子のみを示す斜視図である。
【図５】実施の形態１に係るイオン発生機を図１の矢印方向から見た場合の外見図である。
【図６】図２のＣ−Ｃ線による本体の概略的断面図である。
【図７】実施の形態１に係るイオン発生機において、フィンと電極と吹出口との位置関係を説明する説明図である。
【図８】実施の形態１に係るイオン発生機の囲い壁のみを示す斜視図である。
【図９】実施の形態２に係るイオン発生機の要部構成を概略的に示す断面図である。
【図１０】実施の形態３に係るイオン発生機の要部構成の一例を概略的に示す断面図である。
【図１１】実施の形態３に係るイオン発生機の要部構成の他例を概略的に示す断面図である。
【図１２】実施の形態３に係るイオン発生機の要部構成の他例を概略的に示す断面図である。
【図１３】は実施の形態４に係るイオン発生機の外見を示す斜視図である。
【図１４】実施の形態４に係るイオン発生機における、図１３のＤ−Ｄ線による部分的断面図である。
【図１５】図１４における本体のみを表す、部分的断面図である。
【図１６】実施の形態５に係るイオン発生機における、本体の部分の断面図である。
【発明を実施するための形態】
【００１５】
以下に、本発明の実施の形態に係るイオン発生機を図面に基づいて詳述する。
【００１６】
（実施の形態１）
図１は本発明の実施の形態１のイオン発生機１００の外見を示す斜視図である。イオン発生機１００は、後述するイオン発生素子７が収容されている本体１と、本体１を着脱可能に保持するアダプタ２と、照明部５とを備えている。
【００１７】
図２は図１のＡ−Ａ線によるアダプタ２を除く部分断面図であり、図３は図２のＢ−Ｂ線による断面図である。
【００１８】
アダプタ２は円錐状をなしており、突出先の一端には口金３が設けられている。口金３を介して、イオン発生機１００を、例えば、室内の天井、壁等に設けられたソケットにはめ込んで設定することが可能である。また、アダプタ２の他端には上述したように、本体１が取り付けられる。
【００１９】
本体１は、アダプタ２に向けて縮径する円筒状のケース１１を備えており、ケース１１にはイオン発生素子７と、イオン発生素子７の電極に向けて空気（以下、風ともいう。）を送る送風素子１２とが収容されている。
【００２０】
また、ケース１１は、アダプタ２側の一端部に、送風素子１２に吸い込まれる空気が通る格子状の吸込口４が取外し可能に周設されている。また、吸込口４にはフィルター４１が張設されている。更に、ケース１１の他端部には照明部５が設けられている。
【００２１】
送風素子１２は略円筒状をなしており、周方向外側に吹出口１３が延設されている。送風素子１２は吸込口４を介して外部の空気を吸い込み、吹出口１３を介してイオン発生素子７側に吹き出す。詳しくは、送風素子１２は、イオン発生素子７の離隔した２つの電極における離隔の方向との交差方向に風を送る。
【００２２】
吹出口１３は矩形であり、吹出口１３から吹き出される風の下流側にはイオン発生素子７が配設されている。図４は実施の形態１に係るイオン発生機１００のイオン発生素子７のみを示す斜視図である。
【００２３】
イオン発生素子７は略扁平な六面体の筐体７３を有しており、吹出口１３からの風の流れ方向に対して略直交する方向に離隔された２つの電極７１を筐体７３の一面に有している（以下、説明の便宜上、風の流れに沿う方向、すなわち前記交差方向を上下方向とも言う。）。２つの電極７１間の中間位置と、吹出口１３の中心とは前記上下方向において整合するように配設されている。
【００２４】
また、イオン発生素子７では２つの電極７１が所定の間隔をあけて前記一面から突設されており、一方が放電電極であり、他方が誘導電極である。前記上下方向において、２つの電極７１の上側及び下側には、電極７１，７１を保護する、格子状のガイド７２が夫々設けられている。
【００２５】
更に、イオン発生素子７は筐体７３の中に各電極７１に高電圧を印加する高電圧発生回路を有している。電極７１に高電圧が印加されると、一方の電極７１（放電電極）から正イオンが発生し、他方の電極７１（放電電極）から負イオンが発生する。このように、発生した正イオン及び負イオンは、送風素子１２からの風によって、本体１のケース１１の他端部に設けられたイオン放出口８を介して、イオン発生機１００の外側に放出される（図３の矢印方向参照）。
【００２６】
本体１のケース１１の他端部には、照明部５が周設されている。また、照明部５の中央部にはイオン放出口８が形成されている。
【００２７】
照明部５は、ケース１１の内側に、ケース１１の周方向に沿って配列された複数のＬＥＤ５１，…，５１を有しており、各ＬＥＤ５１は光を発する発光部がケース１１の外側に面するように設けられている。また、これらＬＥＤ５１，…，５１は透明又は半透明の環状のカバー５２によって覆われている。カバー５２はケース１１と略等しい外径を有する。カバー５２の内周縁には、照明部５からの光を下方向に反射する反射部５３が周設されている。
【００２８】
照明部５の中央側、即ち、中空部分はイオン放出口８を形成する。前記中空部分は円形であり、該中空部分の中央には円柱状の島部６が設けられている。より詳しくは、島部６は、均等な間隔にて配設された３つの連結部６２によって反射部５３と連結されている。換言すれば、前記中空部分は３つの連結部６２によって３つの均等領域に分けられている。
【００２９】
また、島部６は外周に沿って環状の点灯部６１が設けられている。点灯部６１は所定の色にて点灯することにより、イオン発生素子７の交換時期、手入れ時期である旨をユーザに通知する。
【００３０】
前記３つの均等領域のうち、２つからなる優弧状の領域は、イオン放出口８を形成しており、残り１つからなる少弧状の領域にはセンサー部６３が設けられている。センサー部６３には、例えば、室内の人の有無を検出する人感センサー６４、照度センサー６５等を有する。
【００３１】
送風素子１２（吹出口１３）、イオン発生素子７（電極７１）、及び、イオン放出口８は上下方向に並設されており、吹出口１３から吹き出された風は電極７１及びイオン放出口８を経てイオン発生機１００の外側に送風される。イオン発生素子７の前記一面との対向側には、電極７１，７１を囲うように囲い壁１５が設けられており、囲い壁１５と、イオン発生素子７の前記一面と、イオン放出口８とが吹出口１３からの風が移動する風路を構成し、該風路のなかに、電極７１，７１が配置されている。
【００３２】
このような構成を有する本実施の形態１に係るイオン発生機１００は、電極７１付近での風速及び風量を高めるように工夫されている。以下、詳しく説明する。
【００３３】
図５は実施の形態１に係るイオン発生機１００を図１の矢印方向から見た場合の外見図であり、図６は図２のＣ−Ｃ線による本体１の概略的断面図である。以下においては、説明の便宜上、電極７１同士の離隔の方向を左右方向と言う。
【００３４】
囲い壁１５はイオン発生素子７の前記一面と対向する対向壁１５１を有しており、左右方向における対向壁１５１の両端には、対向壁１５１と直交する方向に、イオン発生素子７に向かって突出した側壁１５５，１５５が延設されている。
【００３５】
また、対向壁１５１には、夫々の電極７１に向かって突出した２つのフィン１５２が前記上下方向（交差方向）に沿って設けられている。フィン１５２，１５２は略矩形板状をなしており、相互斜めに対向するように、イオン発生素子７に向けて突設されている。また、フィン１５２，１５２は対向する内向きに少し湾曲している。なお、フィン１５２，１５２は左右方向にて一定間隔を隔てて設けられている。
【００３６】
また、フィン１５２，１５２の突出先の先端間距離が、電極７１同士間の距離より大きくなるように構成されている。すなわち、図６に示しているように、一方のフィン１５２の突出先の先端と、他方のフィン１５２の突出先の先端との距離Ｇ２は、電極７１同士間の距離Ｇ１より大きい。
【００３７】
図７は実施の形態１に係るイオン発生機１００において、フィン１５２と電極７１と吹出口１３との位置関係を説明する説明図であり、図８は実施の形態１に係るイオン発生機１００の囲い壁１５のみを示す斜視図である。
【００３８】
以上のようにフィン１５２が設けられているので、フィン１５２同士間の対向面１５６，１５６側と、対向面１５６，１５６の反対側とに風の流れが分けられる。更に、図６〜図８に示すように、フィン１５２，１５２は電極７１，７１を囲むように設けられており、斯かる風の風路は、フィン１５２がなかった場合に比べ狭くなっているので、電極７１に当たる風の量及び速度は早くなる。従って、イオン放出口８を介して放出される正・負イオンの量は増加する。
【００３９】
また、何れか一方のフィン１５２の対向面１５６の反対側にはイオン検出部９が設けられている。より詳しくは、何れか一方のフィン１５２の対向面１５６の反対側であって、対向壁１５１及び側壁１５５からなる角の裏側にはイオン検出部９が配設されている。また、イオン検出部９の付近の前記角には矩形の凹部１５３が形成されている。従って、イオン検出部９は、凹部１５３を介して入り込む正・負イオンを検出することが出来る。
【００４０】
更に、上述したように、フィン１５２，１５２によって風の流れが分けられているので、電極７１側に流すべき風と、イオン検出部９側に流すべき風とを夫々確保できる。従って、イオン検出部９によるイオンの検出に、必要以上のイオンが流入し、放出されるイオンの量が減少することを未然に防止できる。
【００４１】
一方、フィン１５２には吹出口１３側の縁部であって、凹部１５３の近傍に、矩形の切り欠き１５４が形成されている。従って、電極７１，７１から発生されたイオンの一部が、切り欠き１５４及び凹部１５３を介して確実にイオン検出部９に流入出来るので、イオン検出部９が確実にイオン検出を行うことができ、イオン検出部９による誤検出を未然に防止できる。
【００４２】
また、イオン検出部９が、フィン１５２の対向面１５６の反対側に設けられていることから、ユーザによってイオン発生素子７の交換、手入れ等が行われる際、イオン検出部９にユーザの手が触れて、何らかのトラブルが発生することを未然に防止できる。
【００４３】
表１は実施の形態１に係るイオン発生機１００において、フィン１５２の有無に伴うイオン濃度の変化を測定した結果である。斯かる測定は、イオン発生機１００を室内の天井中央部に取り付け場合、２．２ｍ下の床面中央位置でのイオン濃度変化を測定した結果である。
【００４４】
【表１】
2017076553.tif 000003
【００４５】
表１から分かるように、フィン１５２を設けた場合、フィン１５２を設けていない場合に比べ、床での正・負イオンの濃度が大きく増加している。
【００４６】
（実施の形態２）
実施の形態２に係るイオン発生機１００は、実施の形態１に係るイオン発生機１００と同様の構成を有するが、送風素子１２の吹出口１３と、電極７１との関係において、実施の形態１と相違する。以下、詳しく説明する。
【００４７】
図９は実施の形態２に係るイオン発生機１００の要部構成を概略的に示す断面図である。本実施の形態において、イオン発生素子７（電極７１）は、上下方向（交差方向）において、吹出口１３より下側に、換言すれば、吹出口１３からの風の下流側に配設されている。また、電極７１同士間は間隔Ｌ１を離れて設けられている。
【００４８】
また、電極７１同士の離隔の方向、すなわち、左右方向における、吹出口１３の寸法Ｌ３（図９中、破線参照にて表示）は電極７１同士間の間隔Ｌ１以下となるように構成されている。
【００４９】
従って、送風素子１２（吹出口１３）を小型化・軽量化することができ、イオン発生機１００をコンパクト化することが出来る。
【００５０】
一方、このように、吹出口１３の寸法Ｌ３が電極７１同士間の間隔Ｌ１以下である構成の場合、吹出口１３からの風が電極７１に当たらなくなる虞がある。
【００５１】
これに対して、本実施の形態のイオン発生機１００においては、吹出口１３から電極７１までの距離が一定の閾値以上となるように構成されている。すなわち、本実施の形態のイオン発生機１００においては、出口１３から、電極７１，７１間を結ぶ仮想線までの距離Ｌ２（図９中、一点鎖線にて表示）が吹出口１３の寸法Ｌ３以上となるように構成されている。
【００５２】
吹出口１３から吹き出された風は広がりながら電極７１に向かって流れる（図３参照）。従って、本実施の形態のように、吹出口１３と電極７１との間隔を一定の閾値以上に離した場合は、吹出口１３からの風が確実に電極７１に当たる。
【００５３】
すなわち、送風素子１２（吹出口１３）を小型化・軽量化することでイオン発生機１００のコンパクト化を図りつつ、送風素子１２（吹出口１３）の小型化・軽量化によってイオン放出口８から放出されるイオンの量が軽減することを防止できる。
【００５４】
表２は実施の形態２に係るイオン発生機１００において、吹出口１３と電極７１との間隔変化に伴うイオン濃度の変化を測定した結果である。斯かる測定は、イオン発生機１００を室内の天井中央部に取り付け場合、２．２ｍ下の床面中央位置でのイオン濃度変化を測定した結果である。
【００５５】
【表２】
2017076553.tif 000004
【００５６】
表２から分かるように、吹出口１３と電極７１との間隔が７．２ｍｍであった場合に比べて、吹出口１３と電極７１との間隔が１２．２ｍｍであった場合、床でのイオンの濃度が大きく増加している。  
【００５７】
実施の形態１と同様の部分については、同一の符号を付しており、詳細な説明を省略する。
【００５８】
（実施の形態３）
実施の形態３に係るイオン発生機１００は、実施の形態１に係るイオン発生機１００と同様の構成を有するが、イオン発生素子７の構成において、実施の形態１と相違する。以下、詳しく説明する。
【００５９】
図１０は実施の形態３に係るイオン発生機１００の要部構成の一例を概略的に示す断面図である。図１０においては説明の便宜上電極７１のガイド７２の表示を省略している。本実施の形態において、イオン発生素子７（電極７１）は、上下方向において、吹出口１３より下側に、換言すれば、吹出口１３からの風の下流側に配設されている。
【００６０】
本実施の形態においては、吹出口１３から吹き出された風が電極７１，７１を通過する際、電極７１毎に分けられるように構成されている。
【００６１】
イオン発生素子７は上下方向（交差方向）にて電極７１より送風素子１２（吹出口１３）側に、換言すれば、吹出口１３からの風の風路の電極７１より上流側に、前記一面から突出された第１突出板７４を有している。第１突出板７４は、電極７１同士の間の中間位置に対応する位置にて、その面に沿う方向が上下方向となるように、イオン発生素子７の前記一面と直交する方向に突設されている。
【００６２】
従って、吹出口１３からの風は、第１突出板７４から下流側において、２つの電極７１のうち一方に流れる風（以下、一方の風と言う）と、他方に流れる風（以下、他方の風と言う）とに分けられる。すなわち、一方の電極７１で発生されたイオン（例えば、正イオン）は一方の風によってイオン放出口８の外側に運ばれ、他方の電極７１で発生されたイオン（例えば、負イオン）は他方の風によってイオン放出口８の外側に運ばれる。
【００６３】
このように、第１突出板７４を備える本実施の形態に係るイオン発生機１００では、正イオン及び負イオンイオンが夫々異なる風の流れに乗って運ばれることから、生成された正イオン及び負イオンが互いに再結合することによって、結果として放出される正・負イオンの数が減少することを未然に防止できる。
【００６４】
本実施の形態に係るイオン発生機１００は以上の構成に限るものでない。
【００６５】
図１１は実施の形態３に係るイオン発生機１００の要部構成の他例を概略的に示す断面図である。図１１においては説明の便宜上電極７１のガイド７２の表示を省略している。
【００６６】
実施の形態３の本変形例においても、吹出口１３から吹き出された風が電極７１，７１を通過する際、電極７１毎に分けられるように構成されている。
【００６７】
イオン発生素子７は上下方向（交差方向）にて電極７１よりイオン放出口８側に、換言すれば、吹出口１３からの風の風路の電極７１より下流側に、前記一面から突出された第２突出板７５を有している。第２突出板７５は、電極７１同士の間の中間位置に対応する位置にて、その面に沿う方向が上下方向となるように、イオン発生素子７の前記一面と直交する方向に突設されている。
【００６８】
従って、吹出口１３からの風は、第２突出板７５から下流側において、２つの電極７１のうち一方側を通過した一方の風と、他方側を通過した他方の風とに分けられる。すなわち、前記一方の風は前記一方の電極７１で発生されたイオン（例えば、正イオン）を主に含み、前記他方の風は前記他方の電極７１で発生されたイオン（例えば、負イオン）を主に含むこととなる。
【００６９】
これによって、第２突出板７５を備える実施の形態３の本変形例に係るイオン発生機１００においても、生成された正イオン及び負イオンが互いに再結合することによって、結果として放出される正・負イオンの数が減少することを極力抑制することができる。
【００７０】
更に、本実施の形態に係るイオン発生機１００は以上の構成に限るものでない。
【００７１】
図１２は実施の形態３に係るイオン発生機１００の要部構成の他例を概略的に示す断面図である。図１２においては説明の便宜上電極７１のガイド７２の表示を省略している。
【００７２】
実施の形態３の本変形例においても、吹出口１３から吹き出された風が電極７１，７１を通過する際、電極７１毎に分けられるように構成されている。
【００７３】
イオン発生素子７は、上下方向（交差方向）にて電極７１より送風素子１２（吹出口１３）側からイオン放出口８側に亘って、換言すれば、吹出口１３からの風の風路の電極７１より上流側から下流側に亘って、前記一面から突出された第３突出板７６を有している。第３突出板７６は、電極７１同士の間の中間位置に対応する位置にて、その面に沿う方向が上下方向となるように、イオン発生素子７の前記一面と直交する方向に突設されている。すなわち、上述した、第１突出板７４及び第２突出板７５よりも長い範囲に亘って設けられている。
【００７４】
従って、吹出口１３からの風は、第３突出板７６から下流側において、２つの電極７１のうち一方に流れる一方の風と、他方に流れる他方の風とに分けられる。すなわち、一方の電極７１で発生されたイオン（例えば、正イオン）は一方の風によってイオン放出口８の外側に運ばれ、他方の電極７１で発生されたイオン（例えば、負イオン）は他方の風によってイオン放出口８の外側に運ばれる。
【００７５】
第３突出板７６の下端はイオン放出口８付近まで延びているので、イオン放出口８から放出されるまで、正イオン及び負イオンが混じることは殆どない。
【００７６】
これによって、第３突出板７６を備える実施の形態３の本変形例に係るイオン発生機１００においても、生成された正イオン及び負イオンが互いに再結合することによって、結果として放出される正・負イオンの数が減少することを未然に防止することができる。
【００７７】
表３は実施の形態３に係るイオン発生機１００において、第３突出板７６の有無に伴うイオン濃度の変化を測定した結果である。斯かる測定は、イオン発生機１００を室内の天井中央部に取り付け場合、２．２ｍ下の床面中央位置でのイオン濃度変化を測定した結果である。
【００７８】
【表３】
2017076553.tif 000005
【００７９】
表３から分かるように、第３突出板７６がない場合に比べ、第３突出板７６が設けられている場合、正イオン及び負イオン共にイオンの濃度が大きく増加している。  
【００８０】
実施の形態１と同様の部分については、同一の符号を付しており、詳細な説明を省略する。
【００８１】
（実施の形態４）
図１３は実施の形態４に係るイオン発生機１００の外見を示す斜視図である。実施の形態４に係るイオン発生機１００は、イオン発生素子７が収容されている本体１と、本体１を着脱可能に保持するアダプタ２と、照明部５とを備えている。
【００８２】
実施の形態４に係るイオン発生機１００では、島部６において、センサー部、人感センサー及び照度センサーを省略したものの、実施の形態１と略同様であり、アダプタ２に対しても実施の形態１と略同様であるので、詳しい説明を省略する。一方、本体１に対しては、実施の形態１と少し異なる構成を有する。以下、詳しく説明する。
【００８３】
図１４は実施の形態４に係るイオン発生機１００における、図１３のＤ−Ｄ線による部分的断面図であり、図１５は図１４における本体１のみを表す、部分的断面図である。
【００８４】
本体１は、アダプタ２に向けて縮径する円筒状のケース１１を備えており、ケース１１にはイオン発生素子７と、イオン発生素子７の電極に向けて風を送る送風素子１２とが収容されている。
【００８５】
また、ケース１１は、アダプタ２側の一端部に、送風素子１２に吸い込まれる空気が通る格子状の吸込口４が取外し可能に周設されている。吸込口４にはフィルター４１が張設されている。更に、ケース１１の他端部には照明部５が設けられている。
【００８６】
送風素子１２Ａは両開口の対向方向を上下方向とする円筒状をなしている。すなわち、吸込口４のフィルター４１を介して吸い込まれた空気は、送風素子１２Ａの上方側の一端部の開口から送風素子１２Ａに流入し、下方側の他端部の開口から流出する。換言すれば、送風素子１２Ａは前記他端部に吹出口１３Ａが設けられている。
【００８７】
送風素子１２Ａに流入する空気の上流側にはイオン発生素子７が配設されている。換言すれば、上下方向において、送風素子１２Ａの上側には、イオン発生素子７が設けられている。イオン発生素子７の形状及び構造については、実施の形態１と同様であるので、詳しい説明は省略する。なお、イオン発生素子７は、２つの電極７１の離隔方向が上下方向に対して略直交するように設けられている。
【００８８】
イオン発生素子７から発生した正イオン及び負イオンは、送風素子１２Ａに吸い込まれる風によって、本体１のケース１１の他端部に設けられたイオン放出口８を介して、イオン発生機１００の外側に放出される。
【００８９】
また、本体１のケース１１の他端部には、照明部５が周設されており、照明部５については既に説明しているので、詳しく説明を省略する。
【００９０】
上下方向において送風素子１２Ａとイオン発生素子７との間には、通風口１４が介在されている。通風口１４は扁平な矩形であって格子状を有している。また、通風口１４は、イオン発生素子７の筐体７３の前記一面より広く、送風素子１２Ａの前記一端部の開口よりも広い範囲を覆うように設けられている。
【００９１】
更に、通風口１４の上側には、送風素子１２Ａに吸い込まれる空気の流れをガイドする気流ガイド板１４１が設けられている。気流ガイド板１４１は、例えば、矩形であり、送風素子１２Ａの上側であって、かつ、通風口１４の対応する２辺側に設けられている。より詳しくは、２つの電極７１の離隔方向に沿って対向する通風口１４の２辺側には、気流ガイド板１４１が、通風口１４の内側に向けて夫々突出されている。気流ガイド板１４１は、少なくとも、イオン発生素子７の近傍に設けられており、これに限るものでなく、通風口１４の斯かる２辺に沿って気流ガイド板１４１を設けても良い。
【００９２】
実施の形態４に係るイオン発生機１００は以上のような構成を有することから、より効果的にイオン発生素子７から発生した正イオン及び負イオンがイオン発生機１００の外側に放出される。以下説明の便宜上、気流ガイド板１４１がイオン発生素子７の近傍にのみ部分的に設けられている場合を例として説明する。
【００９３】
上述したように、実施の形態４に係るイオン発生機１００においては、気流ガイド板１４１が設けられていることから、吸込口４のフィルター４１を介して送風素子１２Ａに吸い込まれる空気の風路を極力イオン発生素子７（電極７１）側に寄せ付けることが出来る。
【００９４】
図１５に示したように、気流ガイド板１４１が設けられた箇所では、気流ガイド板１４１によってガイドされた空気の風路（図中、破線にて表示）は、通風口１４の斯かる２辺のよりも、電極７１側を通るように形成される。一方、気流ガイド板１４１が設けられていない箇所では、気流ガイド板１４１による空気のガイドはされず、空気の風路（図中、一点鎖線にて表示）は、通風口１４の斯かる２辺側のみを通り、電極７１側を通らないように形成される。
【００９５】
このように、気流ガイド板１４１が設けられた場合は、送風素子１２Ａに吸い込まれる空気が電極７１側寄りの風路を形成するので、例えば、電極７１が通る空気に直接当たることもできる。
【００９６】
また、気流ガイド板１４１が設けられた場合は、気流ガイド板１４１が設けられていない場合に比べ、斯かる空気の通路が狭くなっているので、電極７１付近での空気の風速及び風量が多くなる。
【００９７】
従って、実施の形態４に係るイオン発生機１００においては、電極７１付近にて空気の風速及び風量が増加し、より効果的に、より多くのイオンをイオン発生機１００の外側に運ぶことが出来る。
【００９８】
表４は実施の形態４に係るイオン発生機１００において、気流ガイド板１４１の有無に伴うイオン濃度の変化を測定した結果である。斯かる測定は、イオン発生機１００を室内の天井中央部に取り付け場合、２．２ｍ下の床面中央位置でのイオン濃度変化を測定した結果である。
【００９９】
【表４】
2017076553.tif 000006
【０１００】
表４から分かるように、気流ガイド板１４１を設けた場合、気流ガイド板１４１を設けていない場合に比べ、床での正・負イオンの濃度が大きく増加している。  
【０１０１】
実施の形態１と同様の部分については、同一の符号を付しており、詳細な説明を省略する。健康
【０１０２】
（実施の形態５）
図１６は実施の形態５に係るイオン発生機１００における、本体１の部分の断面図である。実施の形態５に係るイオン発生機１００は実施の形態４と略同様であるが、本体１におけるイオン発生素子７の配置において、少し異なる構成を有する。以下、詳しく説明する。
【０１０３】
上下方向において、送風素子１２Ａの上側には、イオン発生素子７が設けられている。イオン発生素子７の形状及び構造については、実施の形態１と同様であるので、詳しい説明は省略する。
【０１０４】
一方、実施の形態４においては、イオン発生素子７が通風口１４に対して平行となるように設けられているのに対し、実施の形態５に係るイオン発生機１００において、イオン発生素子７は通風口１４に対して所定角をなすように、斜めに設けられている。より詳しくは、イオン発生素子７の前記一面が通風口１４と鋭角をなすように、かつ電極７１を通風口１４に近付けて設けられている。
【０１０５】
実施の形態５に係るイオン発生機１００は以上のような構成を有することから、より効果的にイオン発生素子７から発生した正イオン及び負イオンがイオン発生機１００の外側に放出される。以下、詳しく説明する。
【０１０６】
実施の形態５に係るイオン発生機１００において、上述したように、イオン発生素子７の前記一面が通風口１４と鋭角をなしており、電極７１を通風口１４に近付けて設けられている。従って、電極７１は、吸込口４のフィルター４１を介して送風素子１２Ａに吸い込まれる空気の風路内に位置することとなり、該風路を通る空気に確実に当たることとなる。
【０１０７】
例えば、イオン発生素子７が通風口１４に対して平行となるように設けられている場合、電極７１は送風素子１２Ａに吸い込まれた空気の風路から隔てた所に位置するので、斯かる空気が電極７１と直接当たらなくなり、電極７１から発生した正イオン及び負イオンのうち、前記空気の風路に接近する一部のみが斯かる風によってイオン発生機１００の外側に運ばれる。
【０１０８】
しかし、実施の形態５に係るイオン発生機１００において、上述したように、電極７１が斯かる空気の風路内に位置し、該風路を通る空気に確実に当たるので、より効果的、かつ、確実に、より多くのイオンをイオン発生機１００の外側に運ぶことが出来る。
【０１０９】
表５は実施の形態５に係るイオン発生機１００において、イオン発生素子７が上述した構成を有する場合と、有しない場合とにおけるイオン濃度の変化を測定した結果である。斯かる測定は、イオン発生機１００を室内の天井中央部に取り付け場合、２．２ｍ下の床面中央位置でのイオン濃度変化を測定した結果である。
【０１１０】
【表５】
2017076553.tif 000007
【０１１１】
表５から分かるように、その一面が通風口１４と鋭角をなし、電極７１が通風口１４に近づくように、イオン発生素子７を設けた場合、床での正・負イオンの濃度が大きく増加している。
【０１１２】
一方、イオン発生素子７の前記一面が通風口１４となす角度が直角以上の場合は、イオン発生素子７の他面側を通る空気は全く電極７１に触れることが出来ないので、好ましくない。
【０１１３】
実施の形態１と同様の部分については、同一の符号を付しており、詳細な説明を省略する。
【０１１４】
本発明の実施態様１においては、離隔した２つの電極７１を有するイオン発生素子７と、前記２つの電極７１に向けて、前記離隔方向に交差する方向に風を送る送風素子１２，１２Ａとを備えるイオン発生機１００において、前記イオン発生素子７に向けて突出されており、前記交差方向に沿って設けられたフィン１５２を備えることを特徴とする。
【０１１５】
本発明によれば、前記フィンが前記イオン発生素子に向けて突出されており、かつ前記風の風路に沿って設けられているので、前記イオン発生素子の電極付近を通る風の風路が狭くなり、該電極付近での風量及び風速が増加する。
【０１１６】
本発明の実施態様２においては、対向する２つの前記フィン１５２が設けられており、該２つのフィンの先端間の距離は、前記２つの電極７１の離隔の方向にて、該２つの電極７１が離隔する距離より長いことを特徴とする。
【０１１７】
本発明によれば、前記フィンは、前記送付素子からの風が確実に前記イオン発生素子の電極付近を通るように案内する。
【０１１８】
本発明の実施態様３においては、何れか一方のフィン１５２の対向面の反対側に設けられたイオン検出部９を備えることを特徴とする。
【０１１９】
本発明によれば、前記イオン検出部は、何れか一方のフィンの裏側に設けられているので、当該イオン発生機のメンテナンス等の際、ユーザの指先等が斯かるイオン検出部に触れることを未然に防止できる。
【０１２０】
本発明の実施態様４においては、前記一方のフィン１５２は前記送風素子１２，１２Ａ側端部に切り欠き１５４を有することを特徴とする。
【０１２１】
本発明によれば、前記送風素子側の前記一方のフィンの端部に切り欠きを有するので、前記イオン検出部がイオンの検出に必要とされるイオンが確実にイオン検出部側に流入される。
【０１２２】
本発明の実施態様５においては、前記送風素子１２は風を吹き出す吹出口１３を有し、前記２つの電極７１の離隔の方向における前記吹出口１３の寸法は、該２つの電極７１間の間隔より小さいことを特徴とする。
【０１２３】
本発明によれば、前記２つの電極の離隔の方向における前記吹出口の寸法を、該２つの電極間の間隔より小さくすることにより、イオン発生機の小型化・軽量化を図ることが出来る。
【符号の説明】
【０１２４】
７  イオン発生素子
８  イオン放出口
９  イオン検出部
１３，１３Ａ  吹出口
１２，１２Ａ  送風素子
７１  電極
７４  第１突出板
７５  第２突出板
７６  第３突出板
１００  イオン発生機
１５２  フィン
１５４  切り欠き
【図１】
2017076553.tif 000008
【図２】
2017076553.tif 000009
【図３】
2017076553.tif 000010
【図４】
2017076553.tif 000011
【図５】
2017076553.tif 000012
【図６】
2017076553.tif 000013
【図７】
2017076553.tif 000014
【図８】
2017076553.tif 000015
【図９】
2017076553.tif 000016
【図１０】
2017076553.tif 000017
【図１１】
2017076553.tif 000018
【図１２】
2017076553.tif 000019
【図１３】
2017076553.tif 000020
【図１４】
2017076553.tif 000021
【図１５】
2017076553.tif 000022
【図１６】
2017076553.tif 000023